(57)【要約】【課題】投射領域および書き込み領域がほとんど制限されない電子黒板を提供すること。【解決手段】電子黒板１は、筐体と、筐体に保持され文字や図形等の記録対象が書き込まれる記録シート９と、を備え、さらに、筐体の内部に構成要素が配置されたプロジェクタ３を備えており、プロジェクタ３の投射部３４から、記録シート９と略対向して位置するスクリーン５０へ、光束３９を投射すると共に、記録シート９への書き込みが可能である。【選択図】図５
2008307691.tif 000002
【特許請求の範囲】
【請求項１】
筐体と、
前記筐体に保持され記録対象が描かれる記録シートと、を備えた電子黒板であって、
光源からの光束を画像情報に応じて変調して拡大投射する投射機器を、前記筐体の内部にさらに備えたことを特徴とする電子黒板。
【請求項２】
請求項１に記載の電子黒板において、
前記投射機器は、前記記録シートと略対向する位置に光束を投射することを特徴とする電子黒板。
【請求項３】
請求項１または２に記載の電子黒板において、
前記投射機器と、前記投射機器を制御する制御基板部と、前記投射機器に電力を供給する電源部は、前記筐体の内部に直線状に配置され、前記筐体の一端から導入され他端から排気される冷却空気によって冷却されることを特徴とする電子黒板。
【請求項４】
請求項１から３のいずれか一項に記載の電子黒板において、
前記投射機器より投射される画像の歪を補正する歪補正部を備えたことを特徴とする電子黒板。
【請求項５】
請求項１から４のいずれか一項に記載の電子黒板において、
前記記録シートに描かれた前記記録対象を読み取る読取部を、さらに備えたことを特徴とする電子黒板。
【請求項６】
請求項５に記載の電子黒板において、
前記読取部が読み取った前記記録対象を画像データに変換して伝送するためのインターフェースを、さらに備えたことを特徴とする電子黒板。
【請求項７】
請求項１から６のいずれか一項に記載の電子黒板において、
前記記録シートに描かれた前記記録対象を印刷する印刷部を、さらに備えたことを特徴とする電子黒板。
【発明の詳細な説明】
【技術分野】
【０００１】
本発明は、投射機器を内蔵した電子黒板に関する。
【背景技術】
【０００２】
従来、スクリーンの上端部へ取り付けられたアームに投射機器を設け、投射機器からプレゼンテーション資料等をスクリーンへ投射するシステムが知られている。このシステムによれば、スクリーンと投射機器とがアームを介して一体化されており、投射時毎にスクリーンに対して投射機器の設置や調整を行う必要がなく、即プレゼンテーション等を開始することが可能である。さらに、スクリーンの上端部方向から投射することにより、プレゼンターがスクリーンに近づいて説明をしても、プレゼンターが投射を遮ってしまう状況が起こり難くなる（例えば特許文献１）。
【０００３】
また、投射機器による資料等のプレゼンテーションと、プレゼンテーション討議の記録の書き込みとを同時に行うために、投射機器を内蔵した電子黒板も知られている。この電子黒板には、投射部を黒板へ向けた投射機器が、電子黒板のアームの先端に設けられている。投射機器は、黒板の任意位置へ任意の大きさの映像を投射でき、黒板の所望位置に映像が投射されない余白部を設けることが可能である。この余白部へ筆記具等で文字や絵などを書き込むことにより、プレゼンテーションの記録が残せる（例えば特許文献２）。
【０００４】
【特許文献１】特許第３８６４０５１号公報
【特許文献２】特開２００３−３４１２８９号公報
【発明の開示】
【発明が解決しようとする課題】
【０００５】
しかし、従来の特許文献１における技術では、コンパクトに一体化され、扱い易い利点を有するが、アームによって重量のある投射機器を支える構成であるために、アームの長さが制限され、また、スクリーンへ投射する映像の大きさも制限される。そのため、手軽に拡大投射ができ、視認しやすい大きな映像を提供可能であるという投射機器の機能が十分活かされない、という課題があった。そして、特許文献２における技術では、投射機器と黒板との両機能を活用可能であるが、投射機器としての機能において、投射する映像の大きさが、余白の確保のために、小さめに規制されていた。さらに、黒板としての機能において、書き込み領域である余白が、映像の投射領域を除くとメモ書き程度の狭い領域であった。従って、投射機器および黒板の両機能とも使用領域が制限され中途半端で使い難い、という課題があった。
【課題を解決するための手段】
【０００６】
本発明は、上記課題の少なくとも一部を解決するためのものであり、以下の形態または適用例として実現することが可能である。
【０００７】
［適用例１］筐体と、前記筐体に保持され記録対象が描かれる記録シートと、を備えた電子黒板であって、光源からの光束を画像情報に応じて変調して拡大投射する投射機器を、前記筐体の内部にさらに備えたことを特徴とする。
【０００８】
この電子黒板によれば、文字や図形等の記録対象を筆記具等で記録シートへ書き込める黒板としての記録機能に加え、筐体に組み込まれた投射機器による投射機能を、さらに、備えている。この場合、投射機器は、電子黒板に設けられたアームの先端に単純に取り付けられているような構成ではなく、記録シートを保持している筐体の内部へ収まるように組み込まれている。そのため、外観的には、従来から用いられている記録機能のみの電子黒板とほぼ同様であり、会議およびプレゼンテーション等に使用する際に、何らの違和感なくこれまで通り記録機能を使用することが可能である。さらに、会議およびプレゼンテーション等の各種資料を投射機器で投射する際に、従来のように記録シートに投射して限られた記録シート領域を記録領域と分け合うのではなく、記録シート以外の任意の位置へ適正に拡大して投射することが可能である。このような上記の電子黒板によれば、記録シートと投射機器とを一体にして備えることにより、投射機器の設置場所を別途設ける必要がなく、会議室等のレイアウトの柔軟性が確保される。また、電子黒板は、記録シートと投射機器とがそれぞれ単独で使用される場合と同じように、それぞれの機能を発揮することができ、記録と投射とが同じ記録シートになされて、記録機能と投影機能との領域が互いに干渉して、それぞれの機能を制限し合うようなことがない。
【０００９】
［適用例２］上記に記載の電子黒板において、前記投射機器は、前記記録シートと略対向する位置に光束を投射することが好ましい。
【００１０】
この構成によれば、投射機器は、記録シートと略対向する方向へ光束を投射して、記録シートと略対向する方向に配置されたスクリーンやプレゼンテーションルームの壁等へプレゼンテーション資料等を映し出す。電子黒板は、プレゼンテーション等への出席者数などに応じて、見やすい大きな映像をスクリーンへ投射することが可能である。また、投射時に、投射機器が取り付けられたアームを収納位置から移動させるなどの付帯操作が不要であることに加え、スクリーンの映像を視認するのと併行して、光束の投射を遮ることなく、記録シートへの書き込みが行える。
【００１１】
［適用例３］上記に記載の電子黒板において、前記投射機器と、前記投射機器を制御する制御基板部と、前記投射機器に電力を供給する電源部は、前記筐体の内部に直線状に配置され、前記筐体の一端から導入され他端から排気される冷却空気によって冷却されることが好ましい。
【００１２】
この構成によれば、投射機器、制御基板部および電源部は、筐体内に直線状に配置されている。これら投射機器、制御基板部および電源部は、液晶方式や微小ミラー方式など投射機器の方式を問わず、いずれの方式の場合も、冷却が必要な発熱部である。これら発熱部を直線状に配置すれば、筐体内の冷却空気の流れが直線状に整流され、冷却空気の流れが滞留することによる冷却効果の低下を抑制でき、発熱部の効果的な冷却が可能である。
【００１３】
［適用例４］上記のいずれかに記載の電子黒板において、前記投射機器より投射される画像の歪を補正する歪補正部を備えていることが好ましい。
【００１４】
この構成によれば、投射機器からスクリーンへ斜め方向から投射する場合等において、スクリーンに映し出された映像が台形に歪む状態になるが、歪補正部がこの歪を補正する。これにより、記録シートを出席者に見やすい方向へ向けることにより投射方向が変わった場合や、他のスクリーンへ投射し直した場合などでも、スクリーンの映像は、歪みが補正された正常な状態を維持することが可能である。つまり、記録シートとスクリーンとは、正対する位置関係に限らず、斜めなど他の位置関係であっても、それぞれの記録機能および投射機能が損なわれることがない。
【００１５】
［適用例５］上記のいずれかに記載の電子黒板において、前記記録シートに描かれた前記記録対象を読み取る読取部を、さらに備えていることが好ましい。
【００１６】
この構成によれば、電子黒板は、読取部を備えており、記録シートの記録対象を読み取って、記録として保存する。これにより、記録対象を記録シートから消去する時に、手書きで写し取るような手間をかけずに、記録対象を電子黒板内に保存することが可能である。
【００１７】
［適用例６］上記に記載の電子黒板において、この場合、前記読取部が読み取った前記記録対象を画像データに変換して伝送するためのインターフェースを、さらに備えていることが好ましい。
【００１８】
この構成によれば、インターフェースによって、記録対象を画像データ化でき、他機器への伝送が可能となる。また、投射機器を備えた上記の電子黒板では、投射機器がインターフェースから記録対象の画像データを受信して、画像データを映像として投射することも可能となる。投射された記録対象を出席者が同時視認することにより、確認内容が共有でき、出席者による記録対象の確認がよりやり易くなる。
【００１９】
［適用例７］上記のいずれかにに記載の電子黒板において、前記記録シートに描かれた前記記録対象を印刷する印刷部を、さらに備えていることが好ましい。
【００２０】
この構成によれば、印刷部によって記録対象を印刷でき、記録対象を記録シートから消去後も、記録対象を印刷という見える状態で保存することができ、また、出席者へ個々に配布して議事録とすることが可能である。
【発明を実施するための最良の形態】
【００２１】
以下、電子黒板の具体的な一実施形態について図面に従って説明する。本実施形態における電子黒板は、記録対象が書き込まれる黒板や白板等としての役目をする記録シートと、映像を拡大投射するプロジェクタ（投射機器）と、を備えている。
（実施形態）
【００２２】
図１は、本実施形態にかかる電子黒板の外観を示す斜視図である。電子黒板１は、矩形をなした枠状の筐体２と、筐体２が形成する枠状の内側を塞ぐように設けられ筆記具等で文字や図形等の記録対象を前面側に書き込める記録シート９と、を備えている。筐体２は、矩形部の上部を形成する上部筐体２ａと、下部を形成する下部筐体２ｂと、上部筐体２ａおよび下部筐体２ｂのそれぞれの左右端部を連結する２本の側部筐体２ｃと、筐体２の後面側を塞ぐ後部筐体（不図示）と、を有している。
【００２３】
上部筐体２ａは、内部が空洞の直方体であって、この空洞には、図示していないプロジェクタ（投射機器）３が収容されている。また、上部筐体２ａは、上部筐体２ａの前面を向いた面に設けられプロジェクタ３の投射部３４からの光束を射出するための射出孔２ｅと、一方の側部筐体２ｃの側に位置する側端面に設けられ、プロジェクタ３を冷却するための冷却空気を取り入れるための吸気口４と、他方の側部筐体２ｃの側に設けられプロジェクタ３を冷却した冷却空気を上方向へ排気するための排気口５と、を有している。
【００２４】
そして、下部筐体２ｂは、記録シート９に文字や図形等を書き込む筆記具等を収容する受部２ｄと、電子黒板１を稼動させるための操作ボタン類と液晶表示部とが配置された操作パネル６と、パーソナルコンピュータ等の外部機器を接続するためのコネクタ部７と、図示していないスキャナで読み取った記録シート９の記録対象を印刷するプリンタ（印刷部）８と、を有している。
【００２５】
以上のような構成の電子黒板１をプレゼンテーションに用いれば、プレゼンターは、まずコネクタ部７に接続したパーソナルコンピュータから、プレゼンテーション等の資料を電子黒板１へ送り、プロジェクタ３の投射部３４から投射することにより、拡大された見やすい資料によって説明が行える。同時に、プレゼンターは、説明の補足内容や討議内容を記録シート９へ書き込むことができ、投射資料と合わせて理解し易いプレゼンテーションを行える。この場合、プロジェクタ３は、電子黒板１の筐体２の内部に収容されており、プロジェクタ３のために新たな設置スペースおよび電源の確保、配線作業等を行う必要が無く、電子黒板１用の設置スペースと電源とが確保できれば良いため、プレゼンテーションの準備が短時間で簡便に行える。
【００２６】
次に、筐体２に収容されているプロジェクタ３について説明する。図２は、電子黒板に搭載されたプロジェクタの概構成を示す斜視図である。実施形態におけるプロジェクタ３は、光源部からの光束３９を赤、青、緑の色光に分光し、分光した光をそれぞれの色用の３枚の液晶パネルへ射出し、各液晶パネルで色光毎に変調された光学像を合成して、投射部３４からカラー画像を投射する方式のものである。
【００２７】
具体的には、プロジェクタ３は、光束３９を発する光源ランプを有する光源部３１と、光源部３１からの光束３９をレンズアレイ、偏光変換素子および重畳レンズを通して、３枚の液晶パネルの画像形成領域をほぼ均一に照明するための光学系であるインテグレータ光学部３２と、光束３９を分光し、各液晶パネルへ入射した分光を画像情報に応じて変調して光学像を形成し、色光毎の光学像を合成してカラー画像を形成するための光学変調部３３と、カラー画像を投射するための投射部３４より構成される。プロジェクタ３は、収容される上部筐体２ａが筐体２の外観バランスを損ねるように大きくなることを防ぐために、上部筐体２の長手方向に沿って光源部３１、インテグレータ光学部３２、光学変調部３３が配置されるように構成されている。さらに、プロジェクタ３と別体で構成され、プロジェクタ３を制御するためのＣＰＵ（Central  Processing  Unitｔ）等の制御部を含んで実装された制御基板部３５と、プロジェクタ３へ電力を供給する電源部３６と、が挙げられる。制御基板部３５および電源部３６はプロジェクタ３だけでなく電子黒板１全体の制御および電源供給も行っている。
【００２８】
これら構成要素は、冷却が必要な発熱部であって、重点的に冷却を要する発熱部分は、光源部３１の光源ランプ、インテグレータ光学部３２の偏光変換素子、および光学変調部３３の液晶パネルである。そのため、構成要素を冷却するために、吸気口４の近傍に冷却空気１０として吸気空気１０ａを導入する吸気ファン３７と、排気口５の近傍に冷却空気１０を排気空気１０ｂとして排気する排気ファン３８と、が設けられている。つまり、冷却空気１０は、上部筐体２ａの内部を長手方向へ直線状に流れて、プロジェクタ３を冷却することになる。なお、図２では、プロジェクタ３をブロック状に示しているが、ブロックには発熱部へ冷却空気１０を導くための導風孔（不図示）が設けられている。
【００２９】
図２に示すように、上部筐体２ａ内へ、プロジェクタ３、制御基板部３５および電源部３６を、上部筐体２ａの長手方向に沿って直線状に順に配置すれば、上部筐体２ａの大きさを極小に押さえて収容することができると共に、冷却空気１０が滞留せずスムーズに流れて冷却効果を向上させることが可能である。冷却空気１０の流れに沿って構成要素の配置を上流側から説明すると、まず、吸気ファン３７の直近に電源部３６が位置する。電源部３６は、電源ブロックと光源駆動ブロックとで構成されており、電源ブロックは、外部から供給された電力を光源駆動ブロックや制御基板部３５等に供給し、光源駆動ブロックは、光源部３１を構成する光源ランプに電力を供給している。また、電源ブロックと光源駆動ブロックとは、冷却空気１０の流れを妨げないように、流れ方向と略平行に配置されて冷却される。
【００３０】
次に、電源部３６の下流には、複数の制御基板部３５が実装面を上部筐体２ａの長手方向と平行にして立設されている。このような立設により、冷却空気１０が実装面に沿って整然と流れ、発熱したＣＰＵやＩＣ（Integrated  Circuit）等が効果的に冷却される。
【００３１】
そして、制御基板部３５から下流に向かって、上部筐体２ａの長手方向のほぼ中央から光束３９を射出するように位置する投射部３４と、光学変調部３３と、インテグレータ光学部３２と、光源部３１と、が順に配置されている。この場合、上部筐体２ａの長手方向に流れる冷却空気１０が、既述した導風孔を通って発熱部分に達し、具体的には、光学変調部３３の液晶パネルと、インテグレータ光学部３２の偏光変換素子と、を重点的に冷却する。さらに、最も発熱量の多い光源部３１は、排気ファン３８の近傍に設けられていて、光源部３１を冷却した冷却空気１０が他の構成要素の冷却に用いられることなく、排気空気１０ｂとして、即、排気される。従って、プロジェクタ３は、冷却空気１０が淀むことなく流れ、十分に冷却される。
【００３２】
また、上部筐体２ａ内には、吸気ファン３７、電源部３６、制御基板部３５、プロジェクタ３および排気ファン３８が、上部筐体２ａ内の長手方向に沿って延在するように配置されている。このようなプロジェクタ３の配置は、上部筐体２ａの上下および前後の長さをできるだけ小さくするように最適化が図れ、電子黒板１として違和感のない大きさの上部筐体２ａを形成することが可能である。
【００３３】
次に、電子黒板１の記録シート９について説明する。図３は、電子黒板の記録シートの構成を示す斜視図である。電子黒板１は、筐体２の一方の側部筐体２ｃに沿って設けられている駆動ローラ２１と、他方の側部筐体２ｃに沿って設けられている従動ローラ２２と、駆動ローラ２１を駆動するためのモータやギア等を有するシート搬送部２０と、を備えている。記録シート９は、駆動ローラ２１と従動ローラ２２との間に掛け回されていて、筐体２の前面側に位置するシート面へ文字や図形等の記録対象を書き込むことが可能である。
【００３４】
また、電子黒板１は、筐体２の後面側に位置する記録シート９のシート面に近接して、スキャナ（読取部）１５を備えている。スキャナ１５は、記録シート９がシート搬送部２０による駆動ローラ２１の回転に連動して移動すると、記録シート９に書き込まれている記録対象を順に読み取る。電子黒板１がスキャナ１５を備えることにより、記録シート９に書かれた記録対象を書き写すような手間等をかけずに保存でき、記録対象の消去後、記録シート９へ新たな記録対象の書き込みが可能である。さらに、電子黒板１は、スキャナ１５で読み取った記録対象をプリンタ８で印刷して出力したり、プロジェクタ３で投射したり、コネクタ部７を介して外部へ伝送したりすることも行える。
【００３５】
次に、以上のような構成の電子黒板１を制御する制御系について説明する。図４は、電子黒板の制御部を主に示すブロック図である。電子黒板１の制御部４０は、制御基板部３５に実装されていて、プロジェクタ３を制御するプロジェクタ制御部１２と、プリンタ８を制御するプリンタ制御部１３と、スキャナ１５を制御するスキャナ制御部１６と、シート搬送部２０を制御する搬送制御部２５と、コネクタ部７を介する入出力を制御すると共にスキャナ１５で読み込んだ記録対象を画像データ化するインターフェース４４と、操作パネル６を制御するパネル制御部４５と、を有している。
【００３６】
また、制御部４０は、各制御部による処理を総合的に制御するＣＰＵ４１と、ＣＰＵ４１が参照して各種処理をするためのプログラム等を格納（保存）しているＲＯＭ（Read  Only  Memory）４２と、スキャナ１５が読み取った記録対象等を一時的に格納するためのＲＡＭ（Random  Access  Memory）４３と、を有している。これら制御部４０を構成する各々は、内部バス４６を介してそれぞれ互いに接続されている。
【００３７】
そして、プロジェクタ制御部１２は、プロジェクタ３から投射される映像が台形状に歪んで投射されることを補正する歪補正部１１を有しており、操作パネル６には、プロジェクタ３、プリンタ８、スキャナ１５およびシート搬送部２０を含めて、ユーザーが電子黒板１を稼動させる操作をするための操作ボタン類と、操作状態を表示する液晶表示部と、が集中配置されている。操作ボタン類は、電子黒板１に電力を供給してスタンバイさせるための電源ボタンと、プロジェクタ３の電源、映像のフォーカス、投射照度等を操作するための各種の機器ボタンと、シート搬送部２０を稼動させるための搬送ボタンと、記録シート９の記録対象をスキャナ１５で読み取るための読取ボタンと、記録対象をプリンタ８から印刷出力するための印刷ボタンと、記録対象をプロジェクタ３で投射するための投射ボタン等である。
【００３８】
ここで、このような構成の電子黒板１の使用例について説明する。図５は、電子黒板の設置例を示す斜視図である。この一例では、電子黒板１がプレゼンテーションルーム６０において用いられる場合であって、パーソナルコンピュータ（不図示）から入力されたプレゼンテーション資料を、プロジェクタ３によって、電子黒板１と対向して置かれたスクリーン５０へ投射し、さらに、記録シート９に書かれた補足記録等の記録対象をスキャナ１５（図３）で読み取って保存する。
【００３９】
また、図６は、電子黒板の操作手順を示すフローチャート図であり、図５に示す設置例において、スタンバイ状態の電子黒板１を機能させるためにＣＰＵ４１が実行するフローである。このフローチャート図は、プロジェクタ３を備えた電子黒板１の操作手順の一例を示すものである。まず、ステップＳ１において、コネクタ部７からデータ信号を受信したか否かを判断する。プレゼンターがパーソナルコンピュータをコネクタ部７のプロジェクタ入力端子へ接続し、プレゼンテーション資料をデータ信号として送信していれば、データ信号を受信したと判断してステップＳ２へ進み、一方、受信していないと判断すれば、ステップＳ３へ進む。
【００４０】
ステップＳ２において、プロジェクタ３でプレゼンテーション資料のデータ投射をするようプロジェクタ制御部１２へ指示する。この時、プロジェクタ制御部１２は、操作パネル６の機器ボタンによるフォーカス等の調整にも対応する。投射の指示後、ステップＳ３へ進む。
【００４１】
ステップＳ３において、搬送ボタンの入力信号を受信したか否かを判断する。搬送ボタンが押されて入力信号が送られてくるのは、記録シート９の前面へ補足記録等（記録対象）を書き込んで余白がなくなった場合等に、未書き込みの後面側を前面に移動させて書き込むためである。入力信号を受信すれば、ステップＳ４へ進み、一方、受信していなければ、ステップＳ５へ進む。
【００４２】
ステップＳ４において、シート搬送部２０を稼動させて記録シート９を移動させる指示を、搬送制御部２５へ行う。この場合、搬送制御部２５は、入力信号を受信している間のみシート搬送部２０を稼動させる。稼動の指示後、ステップＳ５へ進む。
【００４３】
ステップＳ５において、読取ボタンの入力信号を受信したか否かを判断する。読取ボタンは、記録シート９の前面に書き込まれた記録対象のすべてを、スキャナ１５で読み取る指示をするためのものである。従って、読取ボタンによる入力前には、読み取りたい記録対象を記録シート９の前面に移動させる必要があり、その場合、ステップＳ３およびステップＳ４において記録シート９の移動量を調整しておく。入力信号を受信すれば、ステップＳ６へ進み、一方、受信していなければ、ステップＳ７へ進む。
【００４４】
ステップＳ６において、シート搬送部２０を稼動させて記録シート９を移動させる指示を、搬送制御部２５へ行うと共に、スキャナ１５による記録対象の読み取りをスキャナ制御部１６へ指示する。これにより、記録シート９の移動とスキャナ１５の読み取りとが同調して、スキャナ１５は、記録シート９の前面に書き込まれた記録対象を漏れなく読み取る。さらに、記録シート９の後面に書き込まれている記録対象も読み取る場合には、記録シート９の後面側を前面に移動させてから、再度、読取ボタンを押して入力信号を送ればよい。なお、スキャナ１５で読み取った記録対象は、インターフェース４４で画像データに変換後、名前を付与されてＲＡＭ４３に格納される。搬送制御部２５およびスキャナ制御部１６への指示後、ステップＳ７へ進む。
【００４５】
ステップＳ７において、印刷ボタンの入力信号を受信したか否かを判断する。印刷ボタンによる入力前には、液晶表示部に表示されＲＡＭ４３に格納されている画像データから印刷する画像データを選択しておく。入力信号を受信すれば、ステップＳ８へ進み、一方、受信していなければ、ステップＳ９へ進む。
【００４６】
ステップＳ８において、プリンタ８による記録対象の印刷をプリンタ制御部１３へ指示する。プリンタ８は、指定された記録対象を印刷して出力する。印刷指示後、ステップＳ９へ進む。
【００４７】
ステップＳ９において、投射ボタンの入力信号を受信したか否かを判断する。投射ボタンは、ＲＡＭ４３に格納した記録対象をプロジェクタ３で投射するためのものであり、印刷ボタンによる入力と同様、投射ボタンによる入力前には、液晶表示部に表示されＲＡＭ４３に格納されている画像データから投射する画像データを選択しておく。入力信号を受信すれば、ステップＳ１０へ進み、一方、受信していなければ、ステップＳ１１へ進む。
【００４８】
ステップＳ１０において、プロジェクタ３による記録対象の投射をプロジェクタ制御部１２へ指示する。プロジェクタ３は、指定された記録対象をスクリーン５０へ拡大投射する。なお、再度、投射ボタンによる入力によって、プレゼンテーション資料の投射へ戻ることが可能である。投射指示後、ステップＳ１１へ進む。
【００４９】
ステップＳ１１において、電源ボタンのオフ信号を受信したか否かを判断する。受信していなければ、ステップＳ１へ戻り、一方、受信すれば、フローを終了し、電子黒板１の機能が停止される。この場合、フローを終了時に、ＲＡＭ４３に格納されている画像データは消去され、プロジェクタ３は冷却が完了してから機能を停止する。
【００５０】
以下、実施形態の主な効果をまとめて記載する。
【００５１】
電子黒板１は、筐体２内にプロジェクタ３を一体化して備えており、新たにプロジェクタ３の設置場所を確保する必要がない。従って、プレゼンテーションルーム６０のレイアウトの自由度を確保して、スペースの有効利用が図れる。
【００５２】
また、電子黒板１は、記録シート９への書き込みと、プロジェクタ３による投射と、の機能をそれぞれ単独で使用する場合と同じように利用でき、書き込みと投射とが同じ記録シートになされる従来の電子黒板のように、互いの領域が重なって使用スペースが制限されることがない。
【００５３】
そして、プロジェクタ３の各構成要素を一旦ばらばらにして、電子黒板１の筐体２内へ直線状に配置することにより、プロジェクタ３をコンパクトに収容でき、これにより、電子黒板１は、従来から用いられている記録機能のみの電子黒板とほぼ同様な外観をなすことが可能である。さらに、冷却空気１０が直線状にスムーズに流れて、プロジェクタ３を効果的に冷却する。
【００５４】
電子黒板１は、プロジェクタ３に加え、プリンタ８、スキャナ１５およびインターフェース４４を備え、記録シート９に書かれた記録対象を印刷することや、外部への伝送およびプロジェクタ３での投射など、一台で多彩な機能をこなすことが可能である。
【００５５】
また、電子黒板１は上記の実施形態に限定されるものではなく、次に挙げる変形例のような形態であっても、実施形態と同様な効果が得られる。
【００５６】
プロジェクタ３の投射部３４は、上部筐体２ａの長手方向のほぼ中央に位置しているが、上部筐体２ａの端部側に位置していても良い。投射部３４が端部側にあれば、プレゼンターが記録シート９へ書き込みをする時に、投射している光束３９を遮ることを、より回避することが可能である。
【００５７】
また、投射部３４は、投射方向を変えられる構成であっても良い。この構成によれば、電子黒板１の方向を変えることなく、任意の方向のスクリーン５０へ映像を投射することが可能である。
【００５８】
また、電子黒板１は、プロジェクタ３を上部筐体２ａへコンパクトに収容しているが、上部筐体２ａへの収容に限定されることなく、下部筐体２ｂまたは側部筐体２ｃへ収容しても良い。これにより、電子黒板１は、種々のデザイン形態に対応して、バラエティーに富んだ品揃えが可能である。
【００５９】
さらに、制御基板部３５と電源部３６は、プロジェクタ３とは別に上部筐体２ａ、下部筐体２ｂ、側部筐体２ｃおよび筐体２の後面側へ分散させて配置しても良い。このような分散配置により、電子黒板１は、よりコンパクトになる。
【００６０】
プロジェクタ３の冷却において、プロジェクタ３、制御基板部３５、電源部３６が直線状に配置されていると、冷却空気１０の流れがスムーズであるため、冷却空気１０の吸排気用のファンは、吸気ファン３７または排気ファン３８のいずれかのみであっても良い。好ましくは、排気ファン３８のみの設置である。また、排気口５、排気ファン３８は冷却空気１０を横方向に排気するように設置しても良い。
【００６１】
また、記録対象の読み取りは、記録シート９を移動させて、固定したスキャナ１５によって行っているが、記録シート９を固定し、スキャナ１５を移動させる構成であっても良い。
【００６２】
そして、電子黒板１は、プレゼンテーションルーム６０等の壁に掛けて設置することに限らず、筐体２にスタンドを取り付けて、自在に移動可能な構成であっても良い。また、スクリーン５０は、プレゼンテーションルーム６０等の壁を利用しても良い。これらにより、プレゼンテーションルーム６０内のレイアウト設定を、容易に、且つ、いかようにも変更することが可能である。
【００６３】
また、プロジェクタ３の光学変調部３３は、液晶パネルを用いて変調する方式であるが、微小ミラーアレイデバイス等による変調方式であっても良い。電子黒板１は、プロジェクタ３の方式を選ばず、諸方式のものを搭載することが可能である。
【図面の簡単な説明】
【００６４】
【図１】本実施形態にかかる電子黒板の外観を示す斜視図。
【図２】電子黒板に搭載されたプロジェクタの概構成を示す斜視図。
【図３】電子黒板の記録シートの構成を示す斜視図。
【図４】電子黒板の制御部を主に示すブロック図。
【図５】電子黒板の設置例を示す斜視図。
【図６】電子黒板の操作手順を示すフローチャート図。
【符号の説明】
【００６５】
１…電子黒板、２…筐体、３…投射機器としてのプロジェクタ、４…吸気口、５…排気口、６…操作パネル、７…コネクタ部、８…印刷部としてのプリンタ、９…記録シート、１０…冷却空気、１１…歪補正部、１２…プロジェクタ制御部、１５…読取部としてのスキャナ、１６…スキャナ制御部、２０…シート搬送部、２５…搬送制御部、３１…光源部、３２…インテグレータ光学部、３３…光学変調部、３４…投射部、３５…制御基板部、３６…電源部、３７…吸気ファン、３８…排気ファン、３９…光束、４０…制御部、４４…インターフェース、４５…パネル制御部、５０…スクリーン、６０…プレゼンテーションルーム。
【図１】
2008307691.tif 000003
【図２】
2008307691.tif 000004
【図３】
2008307691.tif 000005
【図４】
2008307691.tif 000006
【図５】
2008307691.tif 000007
【図６】
2008307691.tif 000008